(57)【要約】【課題】特にサイマル放送で配信されるデジタルテレビ放送とアナログテレビ放送のチャンネルプリセットが極めて短時間に簡単に行なえるようにする。【解決手段】チャンネルプリセットの設定により制御部５が受信選局部７及び復調部８をデジタルテレビ放送の受信復調状態のチャンネルスキャンに制御し、制御部５により、サイマル放送におけるデジタルテレビ放送の各チャンネルの受信復調情報からデジタルテレビ放送及びアナログテレビ放送の選局チャンネル情報を取得し、取得したデジタルテレビ放送及びアナログテレビ放送の選局チャンネル情報を不揮発性メモリ６にプリセット記憶し、サイマル放送で配信されるデジタルテレビ放送及びアナログテレビ放送のチャンネルプリセットを、デジタルテレビ放送のみをチャンネルスキャンして極めて短時間に簡単に行う。【選択図】図１
2008135901.tif 000002
【特許請求の範囲】
【請求項１】
デジタルテレビ放送及びアナログテレビ放送のチャンネルプリセット機能を備えたテレビ放送受信装置において、チャンネルプリセットの設定により受信選局部及び復調部をデジタルテレビ放送の受信復調状態のチャンネルスキャンに制御する受信復調制御部と、サイマル放送におけるデジタルテレビ放送の各チャンネルの受信復調情報からデジタルテレビ放送及びアナログテレビ放送の選局チャンネル情報を取得する選局チャンネル情報抽出部と、取得したデジタルテレビ放送及びアナログテレビ放送の選局チャンネル情報をプリセット記憶する不揮発性の記憶部とを備えたことを特徴とするテレビ放送受信装置。
【請求項２】
請求項１に記載のテレビ放送受信装置において、デジタルテレビ放送は、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のテレビ放送であり、前記受信復調制御部は、受信周波数をスイープ可変し、復調同期が確立した受信周波数に基づいてデジタルテレビ放送のチャンネル周波数割り当てパターンを決定する手段と、決定したチャンネル周波数割り当てパターンにしたがって受信チャンネルを切り替えてチャンネルスキャンを実行する手段とを有し、前記選局チャンネル情報抽出部は、チャンネルスキャンによって受信した各チャンネルのバーチャル・チャンネル・テーブル（Ｖｉｒｔｕａｌ  Ｃｈａｎｎｅｌ  Ｔａｂｌｅ）からデジタルテレビ放送及びアナログテレビ放送の選局チャンネル情報を得ることを特徴とするテレビ放送受信装置。
【請求項３】
請求項１又は２に記載のテレビ放送受信装置において、前記受信復調制御部は、予測設定したデジタルテレビ放送のチャンネル範囲について優先的にチャンネルスキャンを実行することを特徴とするテレビ放送受信装置。
【請求項４】
デジタルテレビ放送及びアナログテレビ放送のチャンネルプリセット機能を備えたテレビ放送受信装置のチャンネルプリセット方法において、デジタルテレビ放送の受信復調状態でチャンネルスキャンを実行し、サイマル放送におけるデジタルテレビ放送の各チャンネルの受信復調情報からデジタルテレビ放送及びアナログテレビ放送の選局チャンネル情報を取得し、取得したデジタルテレビ放送及びアナログテレビ放送の選局チャンネル情報をプリセット記憶し、デジタルテレビ放送のチャンネルスキャンによってデジタルテレビ放送及びアナログテレビ放送のチャンネルプリセットを行なうことを特徴とするテレビ放送受信装置のチャンネルプリセット方法。
【請求項５】
請求項４に記載のテレビ放送受信装置のチャンネルプリセット方法において、デジタルテレビ放送は、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のテレビ放送であり、チャンネルスキャンは、受信周波数をスイープ可変し、復調同期が確立した受信周波数に基づいてデジタルテレビ放送のチャンネル周波数割り当てパターンを決定し、決定したチャンネル周波数割り当てパターンにしたがって受信するチャンネルを順次に切り替えて行なわれ、デジタルテレビ放送及びアナログテレビ放送の選局チャンネル情報は、チャンネルスキャンによって受信した各チャンネルのバーチャル・チャンネル・テーブル（Ｖｉｒｔｕａｌ  Ｃｈａｎｎｅｌ  Ｔａｂｌｅ）から得られることを特徴とするテレビ放送受信装置のチャンネルプリセット方法。
【請求項６】
請求項４又は５に記載のテレビ放送受信装置のチャンネルプリセット方法において、デジタルテレビ放送のチャンネルスキャンは、予測設定したデジタルテレビ放送のチャンネル範囲について優先的に実行することを特徴とするテレビ放送受信装置のチャンネルプリセット方法。
【発明の詳細な説明】
【技術分野】
【０００１】
本発明は、デジタルテレビ放送及びアナログテレビ放送のチャンネルプリセット機能を備えたテレビ放送受信装置及びそのチャンネルプリセット方法に関し、詳しくは、サイマル放送されるデジタルテレビ放送及びアナログテレビ放送のチャンネルプリセットに関する。
【背景技術】
【０００２】
近年、わが国は勿論、米国や欧州諸国においても、テレビ放送はアナログ放送からデジタル放送に移行しつつあり、サイマル放送により、デジタルテレビ放送とアナログテレビ放送とが同時に配信されている。
【０００３】
そして、いわゆるテレビ受信機としてのテレビ放送受信装置や記録再生装置等に組み込まれたテレビ放送受信装置には、前記のデジタルテレビ放送及びアナログテレビ放送のプリセット受信機能を備え、いずれのテレビ放送もチャンネル選択によって受信可能なものがあるが、このプリセット受信機能を備えたテレビ放送受信装置においては、チャンネルプリセットを短時間に簡単に行うことが重要な課題のひとつとなっている。
【０００４】
ところで、前記サイマル放送は、例えばデジタルテレビ放送の視聴中のチャンネルの信号強度が低くなった時に、同じ番組のアナログテレビ放送のチャンネルに切り替えて視聴を続けること等に利用される（例えば、特許文献１参照）。
【０００５】
この場合、チャンネルの切り替えで受信放送をデジタルテレビ放送から同じ番組のサイマル放送のアナログテレビ放送に切り替えるには、同文献１の段落［００１９］等に記載されているように、サイマル放送により同じ放送が行われるデジタルテレビ放送のチャンネルとアナログテレビ放送のチャンネルとをメモリにプリセット記憶しておく必要がある。
【０００６】
一方、ケーブルテレビ（ＣＡＴＶ）放送が主流の米国においては、周知のようにデジタルテレビ放送の方式としてＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式が採用されている。
【０００７】
そして、米国各地のデジタルテレビ放送は、周波数割り当てパターンが異なるＳＴＤ（Ｓｔａｎｄａｒｄ  Ｆｕｒｅｑｕｅｎｃｉｅｓ）、ＩＲＣ（Ｉｎｃｒｅｍｅｎｔａｌ  Ｒｅｌａｔｅｄ  Ｃａｒｒｉｅｒｓ）、ＨＲＣ（Ｈａｒｍｏｎｉｃ  Ｒｅｌａｔｅｄ  Ｃａｒｒｉｅｒｓ）のいずれかで実施され、同じチャンネルの放送であっても地域によって周波数が異なる。そのため、チャンネルプリセットにおいては、チャンネル数が多いからというだけでなく、デジタルテレビ放送の周波数割り当てパターンを判別する必要もあることから、チャンネルプリセットに一層時間がかかる。
【０００８】
尚、米国のテレビ放送の物理チャンネル（周波数に対応するチャンネル）は実用上、第１チャンネル乃至第１３５チャンネルであり、一般に、デジタルテレビ放送のチャンネルは、周波数で５５０ＭＨｚ以上に配置されている。又、米国のデジタルテレビ放送は、変調方式についても６４ＱＡＭ、２５６ＱＡＭ、８ＶＳＢの３種類のいずれかで実施されるため、チャンネルプリセット時等に変調方式の判別も必要になる。
【０００９】
そこで、米国のケーブルテレビ放送を受信するこの種のテレビ放送受信装置においては、最初に電源を投入したときなどのチャンネルプリセット時、デジタルテレビ放送については、５５０ＭＨｚ以上のチャンネルについてのみ、チャンネルスキャンを行って周波数割り当てパターンや変調方式も特定し、それ以下のチャンネルについては、チャンネルスキャンを省き、チャンネルプリセットの時間を短縮することが提案されている（例えば、特許文献２参照）。
【００１０】
【特許文献１】特開２００６−２４６２９９号公報（段落［０００４］、［００１９］、図１、図２等）
【特許文献２】特開２００４−３６３６６０号公報（要約書、段落［０００７］、［０００８］、［００１６］−［００２７］、図１、図２等）
【発明の開示】
【発明が解決しようとする課題】
【００１１】
前記特許文献１には、サイマル放送として配信されるデジタルテレビ放送のチャンネルとアナログテレビ放送のチャンネルとをメモリにプリセット記憶するためのチャンネルプリセットの手法等についてはなんら記載がなく、デジタルテレビ放送とアナログテレビ放送とについて、全チャンネル範囲（例えば米国であれば第１乃至第１３５チャンネルの範囲）のチャンネルスキャンを実施すると、極めて長時間がかかる。
【００１２】
一方、前記特許文献２に記載のように、デジタルテレビ放送について例えば第８０チャンネル以上の必要なチャンネル範囲だけチャンネルスキャンを実行してチャンネルプリセットを行えば、デジタルテレビ放送のチャンネルプリセットは短時間に容易に行える。しかしながら、アナログテレビ放送については、実際に全チャンネル範囲のチャンネルスキャンを行う必要がある。そのため、チャンネルプリセットに時間がかかる。
【００１３】
本発明は、特にサイマル放送で配信されるデジタルテレビ放送とアナログテレビ放送のチャンネルプリセットが極めて短時間に簡単に行なえるようにする。
【課題を解決するための手段】
【００１４】
上記目的を達成するために、本発明のテレビ放送受信装置は、デジタルテレビ放送及びアナログテレビ放送のチャンネルプリセット機能を備えたテレビ放送受信装置において、チャンネルプリセットの設定により受信選局部及び復調部をデジタルテレビ放送の受信復調状態のチャンネルスキャンに制御する受信復調制御部と、サイマル放送におけるデジタルテレビ放送の各チャンネルの受信復調情報からデジタルテレビ放送及びアナログテレビ放送の選局チャンネル情報を取得する選局チャンネル情報抽出部と、取得したデジタルテレビ放送及びアナログテレビ放送の選局チャンネル情報をプリセット記憶する不揮発性の記憶部とを備えたことを特徴としている（請求項１）。
【００１５】
又、本発明のテレビ放送受信装置は、前記デジタルテレビ放送が、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のテレビ放送であり、前記受信復調制御部が、受信周波数をスイープ可変し、復調同期が確立した受信周波数に基づいてデジタルテレビ放送のチャンネル周波数割り当てパターンを決定する手段と、決定したチャンネル周波数割り当てパターンにしたがって受信チャンネルを切り替えてチャンネルスキャンを実行する手段とを有し、前記選局チャンネル情報抽出部は、チャンネルスキャンによって受信した各チャンネルのバーチャル・チャンネル・テーブル（Ｖｉｒｔｕａｌ  Ｃｈａｎｎｅｌ  Ｔａｂｌｅ）からデジタルテレビ放送及びアナログテレビ放送の選局チャンネル情報を取得することを特徴としている（請求項２）。
【００１６】
そして、前記受信復調制御部は、予測設定したデジタルテレビ放送のチャンネル範囲について優先的にチャンネルスキャンを実行することが好ましい（請求項３）。
【００１７】
次に、本発明のテレビ放送受信装置のチャンネルプリセット方法は、デジタルテレビ放送及びアナログテレビ放送のチャンネルプリセット機能を備えたテレビ放送受信装置のチャンネルプリセット方法において、デジタルテレビ放送の受信復調状態でチャンネルスキャンを実行し、サイマル放送におけるデジタルテレビ放送の各チャンネルの受信復調情報からデジタルテレビ放送及びアナログテレビ放送の選局チャンネル情報を取得し、取得したデジタルテレビ放送及びアナログテレビ放送の選局チャンネル情報をプリセット記憶し、デジタルテレビ放送のチャンネルスキャンによってデジタルテレビ放送及びアナログテレビ放送のチャンネルプリセットを行なうことを特徴としている（請求項４）。
【００１８】
又、本発明のテレビ放送受信装置のチャンネルプリセット方法は、デジタルテレビ放送が、前記ＡＴＳＣ方式のテレビ放送であり、チャンネルスキャンは、受信周波数をスイープ可変し、復調同期が確立した受信周波数に基づいてデジタルテレビ放送のチャンネル周波数割り当てパターンを決定し、決定したチャンネル周波数割り当てパターンにしたがって受信するチャンネルを順次に切り替えて行なわれ、デジタルテレビ放送及びアナログテレビ放送の選局チャンネル情報は、チャンネルスキャンによって受信した各チャンネルの前記バーチャル・チャンネル・テーブルから得られることを特徴としている（請求項５）。
【００１９】
そして、デジタルテレビ放送のチャンネルスキャンは、予測設定したデジタルテレビ放送のチャンネル範囲について優先的に実行することが好ましい（請求項６）。
【発明の効果】
【００２０】
請求項１、４の発明によれば、チャンネルプリセットの設定によりデジタルテレビ放送のチャンネルスキャンが行われる。
【００２１】
そして、前記チャンネルスキャンによって受信したサイマル放送におけるデジタルテレビ放送の各チャンネルの受信復調情報から、デジタルテレビ放送の選局チャンネルの情報だけでなく、アナログテレビ放送の選局チャンネル情報も取得する。
【００２２】
更に、取得したデジタルテレビ放送及びアナログテレビ放送の選局チャンネル情報をプリセット記憶して両放送のチャンネルプリセットを行うことができる。
【００２３】
したがって、サイマル放送で配信されるデジタルテレビ放送及びアナログテレビ放送のチャンネルプリセットを、デジタルテレビ放送のみをチャンネルスキャンして極めて短時間に簡単に行うことができる。
【００２４】
請求項２、５の発明によれば、デジタルテレビ放送がＡＴＳＣ方式の米国のケーブルテレビ放送等の場合に、チャンネルスキャンによって受信周波数をスイープ可変して受信復調することができたデジタルテレビ放送の周波数から、受信中のデジタルテレビ放送のチャンネル周波数割り当てパターンを決定することができる。
【００２５】
そして、決定したチャンネル周波数割り当てパターンにしたがって受信チャンネルを順次に切り替えてチャンネルスキャンを実行し、該チャンネルスキャンで得られた各受信チャンネルのバーチャル・チャンネル・テーブルからデジタルテレビ放送及びアナログテレビ放送の選局チャンネル情報を取得してチャンネルプリセットをすることができる。
【００２６】
したがって、デジタルテレビ放送がＡＴＳＣ方式のテレビ放送である米国のケーブルテレビ放送等の場合に、サイマル放送されているデジタルテレビ放送及びアナログテレビ放送のチャンネルプリセットを、デジタルテレビ放送のみをチャンネルスキャンして極めて短時間に簡単に行うことができる。
【００２７】
請求項３、６の発明によれば、デジタルテレビ放送のチャンネルスキャンを、予測設定したデジタルテレビ放送のチャンネル範囲について優先的に実行するため、デジタルテレビ放送のチャンネル範囲を先にチャンネルスキャンし、サイマル放送されているデジタルテレビ放送及びアナログテレビ放送のチャンネルプリセットを、一層短時間に簡単に行うことができる。
【発明を実施するための最良の形態】
【００２８】
本発明をより詳細に説明するため、その一実施形態について、図１〜図５にしたがって詳述する。
【００２９】
図１は本発明が適用されるテレビ放送受信装置１の回路ブロックを示し、図２、図３はそのチャンネルプリセットのフローチャートであり、図４は後述のバーチャル・チャンネル・テーブルを示し、図５は不揮発性メモリの記憶マップ例を示す。
【００３０】
テレビ放送受信装置１は米国のＣＡＴＶ放送の受信機であり、ＣＡＴＶ放送で配信されるＡＴＳＣ方式のデジタルテレビ放送及びＮＴＳＣ方式のアナログテレビ放送の受信表示機能及びチャンネルプリセット機能等を備える。
【００３１】
そして、テレビ放送受信装置１は本体部２とユーザの手元操作用の付属リモートコントローラ（以下、リモコンという）３からなる。
【００３２】
リモコン３は周知の赤外線リモコンであり、ユーザはリモコン３のボタン操作で電源のオン／オフやチャンネル選択、表示や音声出力の設定等を行うことができる。
【００３３】
そして、リモコン３の操作の赤外線信号は本体部２のリモコン受信部４に受信され、リモコン受信部４からマイクロコンピュータ構成の制御部５に送られる。
【００３４】
制御部５はＲＯＭに設定された各種の制御処理のプログラムを実行し、テレビ放送受信装置１全体を制御する。
【００３５】
そして、リモコン３の電源オンの操作が行われると、制御部５が本体部２全体を給電駆動し、本体部２がデジタルテレビ放送及びアナログテレビ放送の受信・表示可能な状態になる。
【００３６】
このとき、後述のチャンネルプリセットが既に行われていて本発明の不揮発性の記憶部としての不揮発性メモリ６にデジタルテレビ放送及びアナログテレビ放送の選局チャンネル情報が保持されていると、リモコン３のチャンネル選択に基づき、制御部５が選択されたチャンネルの選局チャンネル情報に従って受信選局部７、復調部８等を制御する。復調部８はデジタル復調ブロック８ａ、アナログ復調ブロック８ｂを有する。
【００３７】
そして、ケーブル９のデジタルテレビ放送及びアナログテレビ放送の高周波信号が受信選局部７に受信され、制御部５の前記選局チャンネル情報に基づく周知の選局制御により、選択されたチャンネルのデジタルテレビ放送又はアナログテレビ放送の信号（ＩＦ信号）が取り出される。尚、デジタルテレビ放送であれば、受信線局部７はＳＴＤ、ＩＲＣ  、ＨＲＣのいずれかの周波数割り当てパターンに基づく受信状態になる。
【００３８】
更に、受信選局部７のデジタルテレビ放送の信号は周知のデジタル復調ブロック８ａに送られる。このとき、デジタル復調ブロック８ａは前記選局チャンネル情報に基づく制御部５の復調制御により、受信中のデジタルテレビ放送に応じてＳＴＤ、ＩＲＣ、ＨＲＣのいずれかの復調状態になり、受信選局部７のデジタルテレビ放送の信号をデジタル復調し、そのデジタル復調出力を後段のデマルチプレクサ１０に供給する。
【００３９】
そして、デマルチプレクサ１０によりデジタル復調ブロック８ａの復調出力を元のビットストリームが再構成されて映像、音声のデジタル信号が再生され、再生された映像、音声のデジタル信号はビデオデコーダ１１、オーディオデコーダ１２によりアナログの映像表示出力、音声出力に加工され、映像表示出力は液晶ディスプレイ、プラズマディスプレイ、ＣＲＴ等の映像表示装置１３に供給されて画面表示され、音声出力はスピーカ装置１４から音声出力される。
【００４０】
一方、受信選局部７のアナログテレビ放送の信号は周知のＮＴＳＣ方式のアナログ復調ブロック８ｂにより復調されてアナログの映像表示出力、音声出力に加工され、映像表示出力は映像表示装置１３に供給されて画面表示され、音声出力はスピーカ装置１４から音声出力される。
【００４１】
次に、チャンネルプリセットについて説明する。尚、以下においては、放送チャンネルをＣＨと称する。
【００４２】
チャンネルプリセットは、最初の電源投入時の自動制御又はリモコン３の操作選択により、制御部５がＲＯＭに保持されている図２、図３のチャンネルスキャンの制御処理プログラムを実行することで行われる。
【００４３】
このとき、制御部５は本発明の受信復調制御部を形成し、該受信復調制御部はチャンネルプリセットの設定により受信選局部７及び復調部８をデジタルテレビ放送の受信復調状態のチャンネルスキャンに制御する。
【００４４】
ところで、本実施形態の場合、受信するデジタルテレビ放送がＡＴＳＣ方式のテレビ放送であるため、前記受信復調制御部は受信周波数をスイープ可変して復調同期が確立した周波数に基づいてデジタルテレビ放送のチャンネル周波数割り当てパターンをＳＴＤ、ＩＲＣ、ＨＲＣのいずれかに決定する手段と、決定したチャンネル周波数割り当てパターンにしたがって受信チャンネルを順次に切り替える手段とを有する。
【００４５】
又、前記受信周波数のスイープ可変は、デジタルテレビ放送の全チャンネル範囲の下限周波数（第１ＣＨの周波数）又は上限周波数（第１３５ＣＨの周波数）から開始してもよいが、チャンネルプリセットをより短時間に簡単に行うため、本実施形態においては、次に説明するように、５５０ＭＨｚ以上のチャンネルである、例として第８０ＣＨの周波数から開始する。すなわち、米国のデジタルテレビ放送が通常は５５０ＭＨｚ以上のチャンネルである第８０ＣＨ乃至第１３５ＣＨの範囲に存在することから、本実施形態においては、本発明の予測設定したデジタルテレビ放送のチャンネル範囲を第８０ＣＨ乃至第１３５ＣＨの範囲とし、５５０ＭＨｚ以上のチャンネルである、例として第８０ＣＨから開始して前記第８０ＣＨ乃至第１３５ＣＨの範囲について優先的にチャンネルスキャンを実行する。
【００４６】
更に、制御部５は本発明の選局チャンネル情報抽出部も形成し、サイマル放送におけるデジタルテレビ放送の各チャンネルの受信復調情報からデジタルテレビ放送及びアナログテレビ放送の選局チャンネル情報を取得する。そして、本実施形態の場合、前記選局チャンネル情報抽出部は受信した各チャンネルのバーチャル・チャンネル・テーブル（Ｖｉｒｔｕａｌ  Ｃｈａｎｎｅｌ  Ｔａｂｌｅ：以下「ＶＣＴ」という）からデジタルテレビ放送及びアナログテレビ放送の選局チャンネル情報を取得し、不揮発性メモリ６に書き込んでプリセット記憶させる。
【００４７】
そして、前記チャンネルスキャンの制御処理プログラムが実行されると、まず、図２のステップＳ１により制御部５は受信選局部７に受信周波数の５５０ＭＨｚからのスイープ可変を指令し、受信選局部７の受信周波数（同調周波数）を第８０ＣＨの周波数から昇順に可変する。
【００４８】
又、制御部５は受信選局部の受信信号レベルを監視し、前記指令に基づき受信選局部７の受信周波数がデジタルテレビ放送の存在する周波数近傍に上昇し、前記受信信号レベルが設定した放送有無検出の基準レベル以上になると、ステップＳ２からステップＳ３に移行してデジタル復調ブロック８ａをＳＴＤの復調状態に初期設定する。
【００４９】
そして、ＳＴＤの復調によってデジタル復調ブロック８ａの復調同期が確立され、デジタル復調ブロック８ａの復調出力に基づいてデマルチプレクサ１０から制御部５にＶＣＴ等が取り込まれると、ステップＳ３からステップＳ４を通ってステップＳ５に移行し、制御部５はデジタルテレビ放送のチャンネル周波数割り当てパターンをＳＴＤに決定する。
【００５０】
一方、前記のようにデジタル復調ブロック８ａをＳＴＤの復調状態にしても同期が確立しなければ、ステップＳ４からステップＳ６に移行してデジタル復調ブロック８ａをＩＲＣの復調状態に設定する。
【００５１】
そして、ＩＲＣの復調によってデジタル復調ブロック８ａの復調同期が確立され、デジタル復調ブロック８ａの復調出力に基づいてデマルチプレクサ１０から制御部５にＶＣＴ等が取り込まれると、ステップＳ６からステップＳ７を通ってステップＳ５に移行し、制御部５はデジタルテレビ放送のチャンネル周波数割り当てパターンをＩＲＣに決定する。
【００５２】
しかし、前記のようにデジタル復調ブロック８ａをＩＲＣの復調状態にしても同期が確立しなければ、ステップＳ７からステップＳ８に移行してデジタル復調ブロック８ａをＨＲＣの復調状態に制御する。
【００５３】
そして、ＨＲＣの復調によってデジタル復調ブロック８ａの復調同期が確立され、デジタル復調ブロック８ａの復調出力に基づいてデマルチプレクサ１０から制御部５にＶＣＴ等が取り込まれると、ステップＳ８からステップＳ９を通ってステップＳ５に移行し、制御部５はデジタルテレビ放送のチャンネル周波数割り当てパターンをＨＲＣに決定する。
【００５４】
ところで、通常はステップＳ４、Ｓ７、Ｓ９のいずれかで復調同期が確立し、このとき、ステップＳ５から図３のステップＱ１に移行し、後述するように、決定した周波数割り当てパターンでチャンネルスキャンを実行する。
【００５５】
しかしながら、デジタル復調ブロック８ａをＨＲＣの復調状態にしても同期が確立しないこともある。この場合は、ステップＳ９からステップＳ１０に移行して上限の第１３５ＣＨの受信周波数に達したか否かを判断し、第１３５ＣＨの受信周波数に達していなければ、ステップＳ１０からステップＳ１１を介してステップＳ２に戻り、受信周波数を次の物理チャンネルである第８２ＣＨの周波数にスイープ可変してステップＳ２から処理をくり返す。
【００５６】
更に、このようにして受信周波数が第１３５ＣＨの周波数まで上昇してもデジタル復調ブロック８ａの復調同期が確立しないときは、デジタルテレビ放送が通常とは異なり第１ＣＨ乃至第７９ＣＨに存在する可能性がある。そこで、ステップＳ１０からステップＳ１２に移行し、制御部５は受信選局部７に第１ＣＨの受信周波数からのスイープ可変を指令し、受信選局部７の受信周波数（同調周波数）を第１ＣＨの周波数から昇順に可変する。
【００５７】
そして、第１ＣＨから第７９ＣＨまでの間で前記第８０ＣＨ乃至第１３５ＣＨの場合と同様、復調同期が確立するまでステップＳ２〜Ｓ１１のループ処理を繰り返し、デジタル復調ブロック８ａの復調同期が確立すれば、ステップＳ５によりデジタルテレビ放送のチャンネル周波数割り当てパターンをＳＴＤ、ＩＲＣ、ＨＲＣのいずれかに決定して図３のステップＱ１に移行する。
【００５８】
一方、第７９ＣＨに達してもデジタル復調ブロック８ａの復調同期が確立しなければ、当該ＣＡＴＶにはデジタルテレビ放送が存在しないので、ステップＳ１１からステップＳ１３に移行し、制御部５が形成する前記受信復調制御部は受信選局部７及び復調部８を周知のアナログテレビ放送のチャンネルスキャンに制御し、アナログ復調ブロック８ｂの復調同期の確立に基づいてアナログテレビ放送が存在する各チャンネルを検出し、検出したチャンネルののアナログテレビ放送の選局チャンネル情報を不揮発性メモリ６に書き込み、チャンネルプリセットを終了する。
【００５９】
つぎに、デジタルテレビ放送が存在し、図２のステップＳ５から図３のステップＱ１に移行した場合は、制御部５が形成する選局チャンネル情報抽出部が動作し、同ステップＱ１により、復調同期が確立したチャンネルのデジタル復調ブロック８ａの復調出力につき、デマルチプレクサ１０が再構成したＡＴＳＣ方式の元のビットストリームからＶＣＴ情報を展開して抽出する。
【００６０】
このＶＣＴ情報はＡＴＳＣ方式の規格で定められたシンタックス（Ｓｙｎｔａｘ）のテーブル情報であり、図４に示すように、メジャー・チャンネル・ナンバー（Ｍａｊｏｒ＿Ｃｈａｎｎｅｌ＿Ｎｕｍｂｅｒ）α、マイナー・チャンネル・ナンバー（Ｍｉｎｏｒ＿Ｃｈａｎｎｅｌ＿Ｎｕｍｂｅｒ）β、及びサービスタイプ（Ｓｅｒｖｉｃｅ＿Ｔｙｐｅ）γの情報やその放送のキャリア周波数の情報等を含み、放送の種類等に応じて１乃至複数ページで構成され、ページ単位で順次に送られる。尚、図４のｖｃｔはＶＣＴ情報の各ページを示す。
【００６１】
そして、ＶＣＴ情報のメジャー・チャンネル・ナンバーα、マイナー・チャンネル・ナンバーβはチャンネル番号の情報であり、サービスタイプγは当該チャンネルの放送の種類（内容）の情報であり、サービスタイプγの内容から、そのＶＣＴ情報が受信中のデジタルテレビ放送の情報であるか、サイマル放送によって同時に配信されるアナログテレビ放送の情報であるかが分かる。
【００６２】
尚、サイマル放送の場合、最初のページのＶＣＴ情報が受信中のデジタルテレビ放送のチャンネル番号の情報であり、そのメジャー・チャンネル・ナンバーαとマイナー・チャンネル・ナンバーβが受信中のデジタルテレビ放送のチャンネル番号を表わす。又、その次に受信するページのＶＣＴ情報が同時に配信されるアナログテレビ放送の情報であり、そのメジャー・チャンネル・ナンバーαとマイナー・チャンネル・ナンバーβがアナログテレビ放送のチャンネル番号を示し、このとき、マイナー・チャンネル・ナンバーβは「０」である。
【００６３】
そして、図３のステップＱ２によりＶＣＴ情報が存在することを確認すると、ステップＱ３に移行してＶＣＴ情報のサービスタイプγを取得する。ＶＣＴ情報が存在することを確認するのは、放送によっては、ＶＣＴ情報のないものもあるからである。
【００６４】
次に、ステップＱ４により、例えばメジャー・チャンネル・ナンバーαとマイナー・チャンネル・ナンバーβの特徴等から、ＶＣＴ情報がアナログテレビ放送の情報か否かを判別する。
【００６５】
そして、デジタルテレビ放送の情報であれば、ステップＱ５のデジタルテレビ放送のチャンネル識別処理に移行し、そのメジャー・チャンネル・ナンバーαとマイナー・チャンネル・ナンバーβで表わされるチャンネル番号やキャリア周波数等の情報を、デジタルテレビ放送の選局チャンネル情報として取得する。
【００６６】
更に、ステップＱ６に移行し、取得したデジタルテレビ放送の選局チャンネル情報を不揮発性メモリ６に書き込んで記憶する。
【００６７】
その後、ステップＱ７に移行し、シンタックスの繰り返し回数等から全ページのＶＣＴ情報を受信したか否かを確認し、全ページを受信していなければ、ステップＱ１に戻る。
【００６８】
そして、次のＶＣＴ情報がサイマル放送で配信されるアナログテレビ放送の情報であれば、ステップＱ４からステップＱ８のアナログチャンネル識別処理に移行し、そのメジャー・チャンネル・ナンバーαとマイナー・チャンネル・ナンバーβで表わされるチャンネル番号やキャリア周波数等の情報を、アナログテレビ放送の選局チャンネル情報として取得する。
【００６９】
更に、ステップＱ９に移行し、取得したアナログテレビ放送の選局チャンネル情報を不揮発性メモリ６に書き込んで記憶する。
【００７０】
その後、ステップＱ１０に移行して記憶したアナログテレビ放送のチャンネルはプリセット済みにしてプリセット対象から省き、二重のプリセットを回避する。
【００７１】
さらに、ステップＱ１０からステップＱ７を通ってステップＱ１１に移行し、第１３５ＣＨまでチャンネルスキャンしてプリセットしたか否かを判別する。
【００７２】
そして、第１３５ＣＨに達するまで、ステップＱ１１からステップＱ１２に移行し、選局チャンネルを１つ上のチャンネルにしてステップＱ１に戻り、このステップＱ１から処理をくり返して第１３５ＣＨまでチャンネルスキャン及び不揮発性メモリ６への選局チャンネル情報の書き込みを続け、第１３５ＣＨに達すると、チャンネルスキャンを終了する。
【００７３】
このとき、不揮発性メモリ６には例えば図５に示すように、チャンネルスキャンした第８０ＣＨ乃至第１３５ＣＨにチャンネル番号６ａや復調方式６ｂ等の選局チャンネル情報がプリセット記憶され、同時に、第１ＣＨ乃至第７９ＣＨのサイマル放送で配信されるアナログテレビ放送のチャンネル番号６ａや復調方式６ｂ等の選局チャンネル情報がプリセット記憶される。
【００７４】
したがって、本実施形態の場合、米国のＣＡＴＶ放送で配信されるデジタルテレビ放送のチャンネルスキャンのみを行なって、デジタルテレビ放送の選局チャンネル情報だけでなくアナログテレビ放送の選局チャンネル情報も取得して不揮発性メモリ６にプリセット記憶することができ、アナログテレビ放送のチャンネルスキャンを省いて短時間に簡単にチャンネルプリセットを行なうことができる。
【００７５】
しかも、デジタルテレビ放送が行なわれる第８０ＣＨ乃至第１３５ＣＨを優先的にチャンネルスキャンしてチャンネルプリセットを行なうため、ほとんどの場合、第１ＣＨから第１３５ＣＨまでの全チャンネルをチャンネルスキャンしてチャンネルプリセットする場合より、一層短時間に簡単にチャンネルプリセットが行なえ、米国のＣＡＴＶ放送を受信するテレビ放送受信装置１に極めて好適であり、ユーザーの使い勝手に優れた新規な受信装置を提供することができる。
【００７６】
そして、本発明は上記した実施形態に限定されるものではなく、その趣旨を逸脱しない範囲において上述したもの以外に種々の変形実施を行なうことが可能であり、例えば、デジタルテレビ放送、アナログテレビ放送の方式が実施形態と異なる場合にも同様にして適用することができ、それらの放送をケーブル受信、アンテナ受信のいずれで受信する場合にも適用することができる。
【００７７】
又、チャンネルスキャンを行なう予測設定したデジタルテレビ放送のチャンネル範囲については、デジタルテレビ放送の方式等に応じて適当に設定してよいのは勿論である。
【００７８】
更に、テレビ放送受信装置の具体的なブロック構成が図１と異なっていてもよいのは勿論である。
【００７９】
そして、本発明は、テレビ受信機としてのテレビ放送受信装置だけでなく、記録再生装置等に組み込まれたテレビ放送受信装置にも同様に適用することができ、この場合、図１の映像表示装置１３やスピーカ装置１４等は省いた構成であってもよいのは勿論である。
【図面の簡単な説明】
【００８０】
【図１】本発明の一実施形態のテレビ放送受信装置の回路ブロック図である。
【図２】同上、テレビ放送受信装置のチャンネルプリセットの動作説明用の第一のフローチャートである。
【図３】同上、テレビ放送受信装置のチャンネルプリセットの動作説明用の第二のフローチャートである。
【図４】同上、テレビ放送受信装置のバーチャル・チャンネル・テーブルの説明図である。
【図５】同上、テレビ放送受信装置の不揮発性メモリの記憶例の説明図である。
【符号の説明】
【００８１】
１    テレビ放送受信装置
５    制御部
６    不揮発性メモリ
７    受信選局部
８    復調部
８ａ    デジタル復調ブロック
８ｂ    アナログ復調ブロック
【図１】
2008135901.tif 000003
【図２】
2008135901.tif 000004
【図３】
2008135901.tif 000005
【図４】
2008135901.tif 000006
【図５】
2008135901.tif 000007